(57)【要約】【課題】被写界を効率の良い測光分布に分割して構成し、種々の被写体に対する測光精度及び測光の安定性を向上させる測光装置及び該測光装置を具備するカメラを提供すること。【解決手段】被写界を複数の領域に分割して測光する多分割測光手段と、前記多分割測光手段の出力に基づいて、前記被写界の輝度値を算出する演算手段と、を具備し、前記多分割測光手段は、被写界を縦方向及び横方向にそれぞれ均等に分割した複数の測光領域に対応する等分割領域２０１と、前記等分割領域２０１よりも小さい面積を有し且つ前記等分割領域２０１における中央部に設けられた小領域２０３と、を受光面上に有し、前記等分割領域２０１における測光値と前記小領域２０３における測光値とを出力する測光装置及びカメラ。【選択図】      図４
2008294642.tif 000002
【特許請求の範囲】
【請求項１】
被写界を複数の領域に分割して測光する多分割測光手段と、
前記多分割測光手段の出力に基づいて、前記被写界の輝度値を算出する演算手段と、
を具備し、
前記多分割測光手段は、被写界を縦方向及び横方向にそれぞれ均等に分割した複数の測光領域に対応する等分割領域と、前記等分割領域よりも小さい面積を有し且つ前記等分割領域における中央部に設けられた小領域と、を受光面上に有し、前記等分割領域における測光値と前記小領域における測光値とを出力することを特徴とする測光装置。
【請求項２】
前記演算手段は、前記等分割領域における測光値と、前記等分割領域に対応する前記小領域における測光値との差に基づいて、前記等分割領域における測光値及び前記小領域における測光値に対して重み付けを行って、前記被写界の輝度値を算出することを特徴とする請求項１に記載の測光装置。
【請求項３】
前記演算手段は、前記被写界における前記等分割領域の位置に基づいて、前記重み付けを変更して、前記被写界の輝度値を算出することを特徴とする請求項２に記載の測光装置。
【請求項４】
被写界を複数の領域に分割して測光する多分割測光手段と、前記多分割測光手段の出力に基づいて、前記被写界の輝度値を算出する演算手段とを有する測光装置と、
被写体からの光束を前記測光装置へ導く為の光学系と、
前記測光装置から出力される輝度値に基づいて露出制御を行う露出制御部と、
を具備し、
前記多分割測光手段は、被写界を縦方向及び横方向にそれぞれ均等に分割した複数の測光領域に対応する等分割領域と、前記等分割領域よりも小さい面積を有し且つ前記等分割領域における中央部に設けられた小領域と、を受光面上に有し、前記等分割領域における測光値と前記小領域における測光値とを出力することを特徴とするカメラ。
【請求項５】
前記演算手段は、前記等分割領域における測光値と、前記等分割領域に対応する前記小領域における測光値との差に基づいて、前記等分割領域における測光値及び前記小領域における測光値に対して重み付けを行って、前記被写界の輝度値を算出することを特徴とする請求項４に記載のカメラ。
【請求項６】
前記演算手段は、前記被写界における前記等分割領域の位置に基づいて、前記重み付けを変更して、前記被写界の輝度値を算出することを特徴とする請求項５に記載のカメラ。
【発明の詳細な説明】
【技術分野】
【０００１】
本発明は、測光装置及びカメラに関する。
【背景技術】
【０００２】
一般に、カメラによる撮影において良好な画質の画像を得る為には、被写界の明るさを適切に判断して適切な露出を行うことが重要である。
【０００３】
しかしながら、被写界には、逆光、点光源、及び輝度差の激しいシーン等、カメラにとって適切な露出を行うことが困難な状況も存在する。このような悪条件下であっても安定した露出の精度を保つ為に、被写界を複数の領域に分割して明るさを測定する測光手段を具備し、各領域の出力から適切な被写界の明るさを導くことが可能なカメラが従来より知られている。そして、このようなカメラによれば、測光が安定し且つ苦手とする被写体を減らすことができるという利点を享受することができる。
【０００４】
図１７（Ａ）乃至１７（Ｃ）は、被写界を複数の領域に分割して行う測光における被写界分割概念を示す図である。図１７（Ａ）は、被写界を２分割した例を示す図であり、図１７（Ｂ）は、被写界を９分割した例を示す図であり、図１７（Ｃ）は、被写界を４８分割した例を示す図である。
【０００５】
なお、図１７（Ａ）乃至図１７（Ｃ）に示す被写界における各領域に記されている番号は、それぞれの領域に付された領域番号である。
【０００６】
まず、図１７（Ａ）を参照して、被写界を２分割した場合の測光について説明する。２分割被写界Ａは、領域番号１番及び領域番号２番の画素から構成される。ここで領域番号２の画素は、被写界中央部における円形の画素である。また、領域番号１番の画素は、前記領域番号２番の画素の周囲の領域（２分割被写界Ａにおける画素１の領域を除いた領域）の画素である。
【０００７】
ここで、被写体Ｘが２分割被写界Ａにおける中央部に位置する場合、前記領域番号２番の画素は被写体Ｘの明るさを見ており、前記領域番号１番の画素は背景を見ていることになる。ところが、被写体Ｘが２分割被写界Ａにおける中央部から外れた位置に位置する場合、該位置に応じて、各画素が見る被写体と背景との割合が変化してしまう。すなわち、例えば背景が明るく被写体Ｘが暗い場合、被写体Ｘが２分割被写界Ａにおける中央部から離れた位置に位置するほど、前記領域番号２番の画素におけるデータは明るいと判断されることになる。つまり、２分割被写界Ａにおける被写体Ｘの位置により、露出が変わってしまうということが生じる。
【０００８】
また、被写体Ｘに輝度を合わせて露出をすることを考えると、２分割被写界Ａのように分割数が少ない場合には、背景と被写体Ｘとの輝度差が大きいと、被写界における被写体Ｘの位置によって測光データが変化してしまう。
【０００９】
次に、図１７（Ｂ）を参照して、被写界を９分割した場合について説明する。９分割被写界Ｂは、同図に示すように行及び列方向に配置された領域番号１番の画素乃至領域番号９番の画素から構成される。ここで領域番号１番の画素乃至領域番号９番の画素は、９分割被写界Ｂにおいてそれぞれ互いに同面積の領域を占める画素である。
【００１０】
図１７（Ａ）及び図１７（Ｂ）を比較参照すれば分かるように、被写界を９分割した場合には、被写界を２分割した場合に比べれば若干改善はされるが、それでも依然として被写界における被写体Ｘの位置により露出が変わってしまう。
【００１１】
続いて、図１７（Ｃ）を参照して、被写界を４８分割した場合について説明する。４８分割被写界Ｃは、同図に示すように行及び列方向に配置された領域番号１番乃至領域番号４８番の画素から構成される。ここで領域番号１番の画素乃至領域番号４８番の画素は、４８分割被写界Ｃにおいてそれぞれ同面積の領域を占める画素である。
【００１２】
ここで、４８分割被写界Ｃによれば、同図から分かるように被写体Ｘが当該４８分割被写界Ｃにおける中央部に位置しない場合であっても、各画素が見る被写体と背景との割合はあまり変化しない。換言すれば、被写界を４８分割した場合、それぞれの画素の占める領域が小さい為、ほとんどの画素においてはその占める領域のほぼ全体で被写体Ｘ又は背景の何れかが測光されるので、被写体が動いた場合であっても、ある１画素における測光の対象が、被写体Ｘから背景、又は背景から被写体Ｘに切り替わるだけとなる。つまり、４８分割被写界Ｃによれば、どの画素が被写体Ｘを測光しているのかを判定できれば、被写体Ｘに合わせて露出をすることも可能になる。
【００１３】
このように、測光センサにおいては、被写界の分割数が多いほど、被写体Ｘの露出を的確に捉えることができるので、安定した露出を行うことが可能となる。
【００１４】
しかしながら、被写界の分割数の増加は、技術的な観点から見ると演算量の増加、測光手段の複雑化、高コスト化、及び各画素当たりの受光量の減少を引き起こす等の理由から、測光範囲及び測光精度を維持することを難しくする。
【００１５】
このような被写界の分割に関する技術として、例えば特許文献１に次のような測光装置が開示されている。すなわち、特許文献１に開示されている技術によれば、被写体の中央部に主被写体があることを想定した測光装置であって、特に主被写体の大きさの大小の判別を可能とし、主被写体の大きさに応じて、複数設定された測光値演算方式の中から最も適する演算方式を選択すると共に、特に不適当な要素が加わりやすい被写界の外側領域の輝度情報を、該不適当な要素の輝度を取り除いた輝度情報として求めることで、主被写体に対して適切な測光値演算を可能とする測光装置が提供される。
【特許文献１】特公平４−６６３０２号公報
【発明の開示】
【発明が解決しようとする課題】
【００１６】
ところで、被写界における分割された各領域の画素の形状が、互いに異なる形状の場合には、次のような問題が生じる。
【００１７】
第一に、被写界の分割を変更する場合、すなわち被写界の分割により形成される各領域の形状を変更する場合に、過去に蓄積したデータを活用することが難しい。
【００１８】
つまり、各画素の形状によって各画素の出力傾向が変化することを鑑みると、例えば測光手段の設計技術が向上し、被写界の分割において従来よりも多分割化が可能となった場合に、過去に蓄積したデータを活用することが困難な為、新たにデータ収集を行う必要が生じる。
【００１９】
第二に、例えば測光手段をフォトダイオード（以降、ＰＤと称する）のような受光素子を複数設けて構成する場合、互いに形状の異なるＰＤを用いることになり、このことに起因して各ＰＤ間における受光面積の違いによる感度差が生じ、更に暗電流、光と電流のリニアリティ、及び寄生容量等の特性も互いに異なることになる。
【００２０】
つまり、各画素毎にこれらの違いを補正する仕組みが必要となる為、回路は複雑化し、測光手段のコストアップやスペース効率の悪化を招く。
【００２１】
第三に、被写界の分割数を多くする場合には、演算量、演算時間、及び記憶エリアが増加してしまい、更には各画素における測光精度を維持するのが困難になる。また、受光面積が減ってしまい、低輝度の測光精度が低下してしまう。一方、被写界の分割数を少なくする場合には、例えば点光源のような部分的な高輝度部の影響を大きく受けてしまう。
【００２２】
そして、前記特許文献１に開示されている技術は、以上のような問題を抱えている。
【００２３】
本発明は、前記の事情に鑑みてなされたもので、被写界を効率の良い測光分布に分割して構成し、種々の被写体に対する測光精度及び測光の安定性を向上させる測光装置及び該測光装置を具備するカメラを提供することを目的とする。
【課題を解決するための手段】
【００２４】
前記の目的を達成するために、本発明の第１の態様による測光装置は、被写界を複数の領域に分割して測光する多分割測光手段と、前記多分割測光手段の出力に基づいて、前記被写界の輝度値を算出する演算手段と、を具備し、前記多分割測光手段は、被写界を縦方向及び横方向にそれぞれ均等に分割した複数の測光領域に対応する等分割領域と、前記等分割領域よりも小さい面積を有し且つ前記等分割領域における中央部に設けられた小領域と、を受光面上に有し、前記等分割領域における測光値と前記小領域における測光値とを出力することを特徴とする。
【００２５】
前記の目的を達成するために、本発明の第２の態様によるカメラは、被写界を複数の領域に分割して測光する多分割測光手段と、前記多分割測光手段の出力に基づいて、前記被写界の輝度値を算出する演算手段とを有する測光装置と、被写体からの光束を前記測光装置へ導く為の光学系と、前記測光装置から出力される輝度値に基づいて露出制御を行う露出制御部と、を具備し、前記多分割測光手段は、被写界を縦方向及び横方向にそれぞれ均等に分割した複数の測光領域に対応する等分割領域と、前記等分割領域よりも小さい面積を有し且つ前記等分割領域における中央部に設けられた小領域と、を受光面上に有し、前記等分割領域における測光値と前記小領域における測光値とを出力することを特徴とする。
【発明の効果】
【００２６】
本発明によれば、被写界を効率の良い測光分布に分割して構成し、種々の被写体に対する測光精度及び測光の安定性を向上させる測光装置及び該測光装置を具備するカメラを提供することができる。
【発明を実施するための最良の形態】
【００２７】
以下、図面を参照して本発明の一実施形態を説明する。
【００２８】
まず、本一実施形態に係るカメラのシステム構成を説明する。図１は、本一実施形態に係るカメラのシステム構成の一例を示す図である。なお、ここではカメラとして一眼レフレックスカメラ（以降、単にカメラと称する）を例に説明する。
【００２９】
図１に示すように本一実施形態に係るカメラは、ボディユニット１００と、通信コネクタ１０６を介して前記ボディユニット１００に接続される交換可能なレンズユニット１１２と、ストロボ通信コネクタ１８５を介して前記ボディユニット１００に接続される外付けのストロボユニット１８０と、を具備する。また、撮影により取得した画像データを記録するための記録メディア１３９が、通信コネクタ１３５を介して装着されている。
【００３０】
前記レンズユニット１１２は、撮影レンズ１１２ａ，１１２ｂと、絞り１０３と、レンズ駆動機構１０２と、絞り駆動機構１０４と、レンズ制御用マイクロコンピュータ１０５（以降、Ｌｕｃｏｍと略称する）と、を有する。
【００３１】
前記撮影レンズ１１２ａ，１１２ｂは、前記レンズ駆動機構１０２内のＤＣモータによって光軸方向に駆動される。
【００３２】
前記絞り１０３は、前記絞り駆動機構１０４内のステッピングモータによって駆動される。
【００３３】
前記Ｌｕｃｏｍ１０５は、前記レンズ駆動機構１０２及び前記絞り駆動機構１０４等の当該レンズユニット１１２の有する各部を駆動制御する。このＬｕｃｏｍ１０５は、前記通信コネクタ１０６を介してボディ制御用マイクロコンピュータ１５０（以降、Ｂｕｃｏｍと略称する）１５０に電気的に接続され、該Ｂｕｃｏｍ１５０からの指令に従って制御される。なお、Ｂｕｃｏｍ１５０による動作制御の詳細については後述する。
【００３４】
前記ボディユニット１００は、シャッタユニット２１と、撮像モジュール２２と、クイックリターンミラー１１３ｂと、ペンタプリズム１１３ａと、サブミラー１１３ｄと、接眼レンズ１１３ｃと、ミラー駆動機構１１８と、ＡＦセンサ駆動回路１３０ｂと、ＡＦセンサユニット１３０ａと、測光回路１３２と、撮像素子インターフェイス回路１３４と、液晶モニタ１３６と、ＳＤＲＡＭ１３８と、画像処理コントローラ１４０と、シャッタ駆動制御回路１４８と、ボディ制御用マイクロコンピュータ１５０と、カメラ操作スイッチ１５２と、電源回路１５３と、電池１５４と、動作表示用ＬＣＤ１５７と、を有する。
【００３５】
ここで、被写体（不図示）からの光束は、前記レンズユニット１１２の有する撮影レンズ１１２ａ，１１２ｂ、絞り１０３を介して当該ボディユニット１００に入射される。そして、この光束は前記クイックリターンミラー１１３ｂにより反射され、前記ペンタプリズム１１３ａと前記クイックリターンミラー１１３ｂとの間の光路中に配置されているフォーカシングスクリーン（不図示）に結像される。そして、このフォーカシングスクリーンに結像された像は、前記ペンタプリズム１１３ａを介して接眼レンズ１１３ｃに入射する。
【００３６】
なお、前記クイックリターンミラー１１３ｂはハーフミラーで構成されている為、クイックリターンミラー１１３ｂがダウン位置（図１に示す位置）に位置する場合であっても、光束の一部は当該クイックリターンミラー１１３ｂを透過する。なお、前記クイックリターンミラー１１３ｂは、通常はダウン位置に位置する。
【００３７】
このクイックリターンミラー１１３ｂを透過した光束は、当該クイックリターンミラー１１３ｂに設置されたサブミラー１１３ｄにより反射され、自動測距を行う為のＡＦセンサユニット１３０ａに導かれる。
【００３８】
なお、前記クイックリターンミラー１１３ｂがアップ位置（前記撮影レンズ１１２ａ，１１２ｂを介して当該ボディユニット１００に入射した光束の光軸上から退避した位置）に位置する際には、前記サブミラー１１３ｄが前記クイックリターンミラー１１３ｂに密着するように折り畳まれて収納されるように構成されている。
【００３９】
ところで、前記クイックリターンミラー１１３ｂの後方（撮影者側）には、光軸上のフォーカルプレーン式のシャッタユニット２１と、光学系を通過した被写体像を光電変換する為の撮像素子を収容した撮像モジュール２２とが設けられている。前記クイックリターンミラー１１３ｂがアップ位置に位置した場合、撮影レンズ１１２ａ，１１２ｂを通過した光束は、前記撮像モジュール２２内に設けられた撮像素子（不図示）に結像される。
【００４０】
ここで、前記撮像モジュール２２内に設けられた撮像素子（不図示）に接続された前記撮像素子インターフェイス回路１３４、記憶領域として設けられた前記ＳＤＲＡＭ１３８、前記液晶モニタ１３６及び前記記録メディア１３９は、画像処理を行う為の前記画像処理コントローラ１４０に接続されている。なお、前記記録メディア１３９は外部記録媒体であり、前記通信コネクタ１３５を介して通信可能に当該ボディユニット１００に装着される。
【００４１】
つまり、前記撮像素子インターフェイス回路１３４、前記ＳＤＲＡＭ１３８、前記液晶モニタ１３６、前記記録メディア１３９、及び前記画像処理コントローラ１４０によれば、電子撮像機能及び電子記録表示機能が提供される。
【００４２】
そして、前記画像処理コントローラ１４０は、通信コネクタ１３５と、測光回路１３２と、ミラー駆動機構１１８と、ＡＦセンサ駆動回路１３０ｂと、シャッタ駆動制御回路１４８と、不揮発性メモリ（不図示）等と共に、当該ボディユニット１００内の各部を制御するための前記Ｂｕｃｏｍ１５０に接続されている。なお、前記不揮発性メモリ（不図示）は、カメラ制御に必要な所定の制御パラメータを記憶する手段であり、前記Ｂｕｃｏｍ１５０からアクセス可能に設けられている。
【００４３】
このＢｕｃｏｍ１５０は、連写時の撮影間隔を計測するタイマ機能を有しており、当該カメラにおける全体の動作を制御し、且つ係計数機能、モード設定機能、検出機能、判定機能、演算機能等の各種機能を有している。
【００４４】
さらに、前記Ｂuｃｏｍ１５０には、当該カメラの動作状態を表示出力によって撮影者へ告知するための動作表示用ＬＣＤ１５７と、当該カメラを操作する為のカメラ操作スイッチ１５２とが接続されている。また、前記Ｂｕｃｏｍ１５０には、前記電源回路１５３を介して前記電池１５４が接続されている。ここで、電源回路１５３は、電源としての前記電池１５４の電圧を、当該カメラにおける各回路ユニットが必要とする電圧に変換して供給するために設けられている。
【００４５】
なお、前記カメラ操作スイッチ１５２は、例えば撮影動作の実行を指示する為のレリーズスイッチ、撮影モードを連写モードや通常撮影モード等に切り替える為のモード変更スイッチ及びパワースイッチ等、当該カメラを操作する為に必要な各種操作ボタン（撮影操作手段）を含むスイッチ群により構成されている。
【００４６】
ここで、前記Ｂｕｃｏｍ１５０と前記Ｌｕｃｏｍ１０５とは、ボディユニット１００へのレンズユニット１１２の装着時において、通信コネクタ１０６を介して通信可能に電気的に接続される。そして、カメラとして、前記Ｌｕｃｏｍ１０５が前記Ｂｕｃｏｍ１５０に従属的に協働しながら稼動するように構成されている。
【００４７】
以下、同図を参照して、本一実施形態に係るカメラにおける測光に係わる構成について説明する。
【００４８】
前記測光回路１３２は、前記ペンタプリズム１１３ａからの光束に基づいて測光処理する回路である。この測光回路１３２は、被写界を複数に分割して被写界輝度を測定する多分割測光センサを有している。
【００４９】
一方、前記ミラー駆動機構１１８は、前記クイックリターンミラー１１３ｂを駆動制御する為の機構である。また、前記ＡＦセンサ駆動回路１３０ｂは、前記ＡＦセンサユニット１３０ａを駆動制御する為の回路である。
【００５０】
また、前記シャッタ駆動制御回路１４８は、前記シャッタユニット２１内の先幕及び後幕の動きを制御すると共に、前記Ｂuｃｏｍ１５０との間でシャッタの開閉動作を制御する。また、前記シャッタ駆動制御回路１４８は、前記ストロボユニット１８０と同調する信号の授受を行う。
【００５１】
以上説明した構成のカメラにおける各部は、例えば次のように稼動する。
【００５２】
まず、前記Ｂｕｃｏｍ１５０の指令に従って、前記画像処理コントローラ１４０によって前記撮像素子インターフェイス回路１３４が制御され、前記撮像モジュール２２から画像データが取り込まれる。
【００５３】
この画像データは、一時保管用メモリである前記ＳＤＲＡＭ１３８に取り込まれる。このＳＤＲＡＭ１３８は、画像データが変換される際のワークエリア等に使用される。また、この画像データはＪＰＥＧデータに変換された後、前記記録メディア１３９に保管される。
【００５４】
前記ミラー駆動機構１１８は、上述したようにクイックリターンミラー１１３ｂをアップ位置及びダウン位置へ駆動する為の機構である。ここで、前記ミラー駆動機構１１８によって前記クイックリターンミラー１１３ｂがダウン位置に位置された時、前記撮影レンズ１１２ａ，１１２ｂからの光束は、ＡＦセンサユニット１３０ａ側と、ペンタプリズム１１３ａ側とへ分割されて導かれる。
【００５５】
ここで、前記ＡＦセンサユニット１３０ａ内に設けられたＡＦセンサ（不図示）からの出力は、前記ＡＦセンサ駆動回路１３０ｂを介してＢuｃｏｍ１５０へ送信されて周知の測距処理が行われる。
【００５６】
また、前記ペンタプリズム１１３ａに隣接して設けられている前記接眼レンズ１１３ｃによって、撮影者は被写体（不図示）を目視できる。さらに、前記ペンタプリズム１１３ａを通過した光束の一部は、前記測光回路１３２内に設けられたホトセンサ（不図示）へ導かれ、このホトセンサ（不図示）によって検知された光量に基づいて、後述する測光処理が行われる。
【００５７】
なお、図２（Ａ），（Ｂ）は上述した光学系を模式的に示す図である。ここで、同図を参照して、前記クイックリターンミラー１１３ｂと測光処理との関係を説明する。
【００５８】
すなわち、図２（Ａ）に示すように、前記クイックリターンミラー１１３ｂがダウン位置にある場合（状態Ａ；非露光時）、前記フォーカシングスクリーン１１３ｆに結像された像の光束は、前記ペンタプリズム１１３ａにより、前記接眼レンズ１１３ｃと、前記測光回路１３２内に設けられたホトセンサ（不図示）とへ導かれる。
【００５９】
一方、図２（Ｂ）に示すように、前記クイックリターンミラー１１３ｂがアップ位置にある場合（状態Ｂ；露光時）、被写体（不図示）からの光束は、ボディユニット１００内に設けられた前記撮像モジュール２２内の撮像素子（不図示）に入射する。
【００６０】
ここで、非露光時においては、前記撮影レンズ１１２ａ，１１２ｂから入射する光は、ダウン位置にある前記クイックリターンミラー１１３ｂによって反射され、前記接眼レンズ１１３ｃまで導かれる。このとき、測光回路１３２の有する多分割測光センサにも、前記光の一部が入射する。
【００６１】
そして、ユーザは、このような非露光時の状態において、前記接眼レンズから被写体（不図示）を視認して構図を決定する。
【００６２】
一方、露光時においては、前記クイックリターンミラー１１３ｂはアップ位置へと駆動され、前記撮影レンズ１１２ａ，１１２ｂを通過した光は、前記撮像モジュール２２内の前記撮像素子（不図示）に直接入射する。ここで、前記シャッタユニット２１におけるシャッタが開かれることで前記撮像素子（不図示）に光が入射し、露光が開始される。そして、前記シャッタユニット２１におけるシャッタが閉じられると、前記撮像素子（不図示）に光が入射しなくなる為、露光が停止する。
【００６３】
なお、連続で撮影する場合には、非露光時状態と露光時状態とを繰り返す動作制御が為される。
【００６４】
ところで、前記ストロボユニット１８０は、ストロボ制御用マイクロコンピュータ（以降、Ｓｕｃｏｍと略称する）１８３と、閃光発光部１８１と、発光制御回路１８２と、電池１８４とから構成される。そして、このストロボユニット１８０は、ストロボ通信コネクタ１８５を介して、前記ボディユニット１００と通信可能に装着される。
【００６５】
ここで、前記シャッタ駆動制御回路１４８は、Ｂｕｃｏｍ１５０からシャッタを駆動制御する為の信号を受け取ると、該信号に基づいて前記シャッタユニット２１の駆動制御を行う。このとき、ストロボを発光させる為の発光信号が、前記シャッタ駆動制御回路１４８によって、所定のタイミングでストロボ通信コネクタ１８５を介して前記Ｓｕｃｏｍ１８３及び前記発光制御回路１８２に出力される。そして、Ｂｕｃｏｍ１５０からは、前記発光信号に基づいて、通信により発光モードに応じた発光指令信号が前記Ｓｕｃｏｍ１８３及び前記発光制御回路１８２に出力される。
【００６６】
また、撮影者によって前記カメラ操作スイッチ１５２のうちの前記モード変更スイッチが操作されて、撮影モードから画像表示モードへのモード変更が為されると、前記記録メディア１３９に記録された画像データが読み出される。
【００６７】
このようにして前記記録メディア１３９から読み出された画像データは、前記画像処理コントローラ１４０においてビデオ信号に変換され、前記液晶モニタ１３６にて出力表示される。
【００６８】
以下、前記ストロボユニット１８０による調光について説明する。
【００６９】
まず、一般的な調光として、プリ発光調光制御を挙げることができる。このプリ発光調光制御によれば、撮影に先立ってストロボを発光するプリ発光が行われる。そして、このプリ発光時における被写体から、撮影レンズ１１２ａ，１１２ｂを透過して前記測光回路１３２内に設けられたホトセンサ（不図示）に届く反射光の光量により、本撮影時における発光量が演算されて決定される。
【００７０】
なお、前記ホトセンサ（不図示）は、レンズユニット１１２、クイックリターンミラー１１３ｂ及びペンタプリズム１１３ａを経由した前記被写体（不図示）からの光束を、受光する。このホトセンサ（不図示）における受光面には、複数のＰＤが配置されており、各ＰＤ毎の出力を得ることで、被写界を分割しての測定を行う。
【００７１】
図３は、前記測光回路１３２におけるホトセンサの詳細な構成を示す図である。
【００７２】
同図に示すように、前記測光回路１３２におけるホトセンサ回路は、ＰＤ１３２ａと、対数圧縮アンプ回路１３２ｂと、電圧増幅回路１３２ｃと、スイッチ１３２ｄとを備える。
【００７３】
前記ＰＤ１３２ａは、当該測光回路１３２における受光面に複数配置されて設けられている。このＰＤ１３２ａは、受光量に応じて電流を生じる特性を持つ。そして、前記ＰＤ１３２ａによって生じた電流は、電流電圧変換回路である前記対数圧縮アンプ回路１３２ｂによって、その電流量に応じた電圧値に変換される。
【００７４】
前記対数圧縮アンプ回路１３２ｂは、それぞれ対応する前記スイッチ１３２ｄに接続され、これら複数のスイッチ１３２ｄのうちの何れか一つをＯＮさせることで、前記対数圧縮アンプ回路１３２ｂによって変換された電圧が、測定手段である前記電圧増幅回路１３２ｃに印加される。そして、前記電圧増幅回路１３２ｃからの出力電圧Ｖｏｕｔは、前記Ｂｕｃｏｍ１５０内のＡ／Ｄ変換回路１５０ａに入力される。
【００７５】
ここで、前記Ｂｕｃｏｍ１５０は、前記不揮発性メモリ（不図示）に記憶されたパラメータと、前記Ｂｕｃｏｍ１５０による演算とから、入力された電圧値をＰＤ受光量に変換する。
【００７６】
そして、前記スイッチ１３２ｄを切り替えることで、光量の測定を行うＰＤ１３２ａを切り替える。すなわち、前記スイッチ１３２ｄを切り替えることで、分割された被写界のそれぞれの領域における輝度の測定を行っていく。
【００７７】
なお、図３を参照して説明した前記測光回路１３２におけるホトセンサ回路構成によれば、各々のＰＤ１３２ａ毎に発光することになるが、前記電流電圧変換回路の構成を、各々のＰＤ１３２ａで発生した電流をコンデンサに蓄積して電圧変換する回路構成とすることで、１回のストロボ発光によって全ての等分割領域２０１を測定することが可能となる。
【００７８】
以下、本一実施形態に係るカメラの主な特徴の一つである前記測光回路１３２内に設けられたホトセンサの分割方法及び制御方法を詳細に説明する。
【００７９】
本一実施形態においては、被写界領域を図４に示すように縦方向に均等に７分割且つ横方向に均等に７分割し、計４９個の等分割領域２０１を形成する。これにより、被写界は４９個の等分割領域２０１に分割される。
【００８０】
さらに、それぞれの前記等分割領域２０１における中央部の領域に、当該等分割領域２０１の面積の半分以下の面積を有する小領域２０３を設ける。ここで、図５Ａは、このように分割した被写界領域と、ファインダー内の視野とを重ねて示した中間調画像である。
【００８１】
なお、図５Ｂは、不等分割した被写界領域と、ファインダー内の視野とを重ねて示した中間調画像である。また、図５Ｃは、１０行１０列にて１００等分割した被写界領域（前記小領域２０３を設けずに等分割）と、ファインダー内の視野とを重ねて示した中間調画像である。これら図５Ｂ及び図５Ｃに示すような従来の技術では、詳細は後述するが、本一実施形態により得られる格別の効果を得ることはできない。
【００８２】
図６は、説明の便宜上前記等分割領域２０１に設定する領域番号、及び前記小領域２０３に設定する小領域番号の定義を示す図である。
【００８３】
すなわち領域番号としては、同図に示すように１行１列目の等分割領域２０１から順に、列方向に順次一ずつ増加させて設定していき、７列目まで行くと次の行における一列目へ移行して順次一ずつ増加させて設定する。このようにして７行７列に及ぶ等分割領域２０１の全てに、図６に示すように領域番号を設定する。
【００８４】
一方、小領域番号としては、当該小領域２０３が設けられている各々の等分割領域２０１に設定された領域番号に“１００”をプラスした値を設定する。例えば、領域番号２１番の等分割領域２０１内に設けられた小領域２０３に設定される小領域番号は、図６に示すように１２１番となる。
【００８５】
以降、上述したように設定した領域番号及び小領域番号を参照して、本一実施形態に係るカメラの各種動作制御を説明する。
【００８６】
図７は、本一実施形態に係るカメラにおける撮影動作の前記Ｂｕｃｏｍ１５０による動作制御を示すフローチャートを示す図である。
【００８７】
前記カメラ操作ＳＷ１５２の一つであるレリーズスイッチが押されると、測距動作（ステップＳ１）、測光動作（ステップＳ２）、及び露出演算（ステップＳ３）を順次行う。なお、これらステップＳ１乃至ステップＳ３における詳細な動作制御は、これらのサブルーチンを示す図９乃至図１１を参照して後述する。
【００８８】
前記ステップＳ３における露出演算の処理を終えると、該露出演算の処理結果に基づいて、前記閃光発光部１８１を発光させるか否かを判断する（ステップＳ４）。このステップＳ４をＮＯに分岐する場合は、後述するステップＳ７へ移行する。
【００８９】
一方、前記ステップＳ４をＹＥＳに分岐する場合は、調光演算を行う（ステップＳ５）。なお、この調光演算の詳細については、調光演算のサブルーチンを示す図１２を参照して後述する。
【００９０】
前記ステップＳ５における調光演算の処理を終えると、露出パラメータ決定の処理を行う（ステップＳ６）。なお、この露出パラメータ決定の詳細については、露出パラメータ決定のサブルーチンを示す図１３を参照して後述する。このステップＳ６において、前記絞り１０３の絞り駆動量、前記シャッタユニット２１のシャッタ開口時間、前記撮像モジュール２２の感度、及びストロボ発光するか否かの判断等を決定する。
【００９１】
前記ステップＳ６における処理を終えると、前記ステップＳ５及び前記ステップＳ６において決定したパラメータにて、前記撮像モジュール２２を露出する為に、前記クイックリターンミラー１１３ｂを、前記ミラー駆動機構１１８によってアップ位置に駆動させ（ステップＳ７）、シャッタ走行及び絞り制御等から成る通常の露出動作を行う（ステップＳ８）。
【００９２】
前記ステップＳ８における露出動作を完了した後、前記クイックリターンミラー１１３ｂを、前記ミラー駆動機構１１８によってダウン位置へ駆動する（ステップＳ９）。このステップＳ９における前記クイックリターンミラー１１３の駆動と同時に、前記シャッタユニット２１における次回の露出動作の為の準備動作であるシャッタチャージを行う（ステップＳ１０）。
【００９３】
そして、前記撮像モジュール２２内に設けられた前記撮像素子（不図示）によって取得した電気信号（画像信号）を、所定タイミング毎に前記撮像素子インターフェイス回路１３４を介して読み出してデジタル化する。そして、このデジタル化して得られた画像データを、前記画像処理コントローラ１４０を介して前記ＳＤＲＡＭ１３８に一時的に格納し、その後前記通信コネクタ１３５を介して、前記記録メディア１３９に記録し（ステップＳ１１）、当該撮影動作を終了する。
【００９４】
ここで、図８は、前記ＡＦセンサユニット１３０ａの有する測距点の被写界領域における位置及び個数を示す図である。
【００９５】
前記ＡＦセンサユニット１３０ａは、図８に示すように被写界領域の中央部及びその左右の領域に、それぞれ測距点を各１点ずつ有する３点測距センサであるとする。この３点の測距点を、同図に示す左の測距点から順に、左測距点２３１Ｌ、中央測距点２３１Ｃ、右測距点２３１Ｒとする。なお、被写体２３３は、被写界における中央部に位置している。また、被写体２０３以外の白色部分は背景を示しており、当該カメラに対して被写体より遠い位置に位置している。詳細は後述するが、同図に示す例においては、測距点として前記中央測距点２３１Ｃが選択される。
【００９６】
ここで、測距点近傍としては、図８に示す例では領域番号１７番、１８番、１９番、２４番、２５番、２６番、３１番、３２番、３３番の等分割領域２０１が該当する。
【００９７】
なお、左測距点２３１Ｌが測距点として選択された場合であれば、測距点近傍としては領域番号１６番、１７番、２３番、２４番、２５番、３１番、３２番の等分割領域２０１が該当する。
【００９８】
以下、前記ステップＳ１における測距動作の動作制御を、図９に示すフローチャートを参照して説明する。なお、本一実施形態においては、最も当該カメラに近い位置に位置する被写体を、当該撮影における被写体として採用する。
【００９９】
まず、前記ＡＦセンサユニット１３０ａによって、従来より行われている周知の測距動作を行う（ステップＳ２１）。
【０１００】
続いて、前記前記ＡＦセンサユニット１３０ａによって取得した測距状態のデータを参照して、被写体が、前記３点の測距点のうちの前記左測距点２３１Ｌに最も近い位置に位置しているか否かを判断する（ステップＳ２２）。このステップＳ２２をＮＯに分岐する場合は、後述するステップＳ２４へ移行する。
【０１０１】
一方、前記ステップＳ２２をＹＥＳに分岐する場合は、前記左測距点２３１Ｌを測距点として選択して、図７に示すフローチャートへ戻る。
【０１０２】
ところで、前記ステップＳ２２をＮＯに分岐する場合には、前記前記ＡＦセンサユニット１３０ａによって取得した測距状態のデータを参照して、被写体が、前記３点の測距点のうちの前記右測距点２３１Ｒに最も近い位置に位置しているか否かを判断する（ステップＳ２４）。
【０１０３】
前記ステップＳ２４をＹＥＳに分岐する場合は、前記右測距点２３１Ｒを測距点として選択して、図７に示すフローチャートへ戻る。一方、前記ステップＳ２４をＮＯに分岐する場合は、前記中央測距点２３１Ｃを測距点として選択して、図７に示すフローチャートへ戻る。
【０１０４】
以上説明した一連の測距動作により、被写体が前記３点の測距点のうちの何れの測距点に最も近いかが判定され、当該測距点が選択される。
【０１０５】
以下、前記ステップＳ２における測光動作の動作制御を、図１０に示すフローチャートを参照して説明する。
【０１０６】
まず、前記測光回路１３２内に設けられた前記ホトセンサ（不図示）によって検出された光束の光量に基づく周知の測光処理によって、全ての等分割領域２０１における輝度を取得する（ステップＳ３１）。
【０１０７】
続いて、当該カメラが所定の撮影モードに設定されているか否かを判断する（ステップＳ３２）。なお、前記所定の撮影モードとは、例えば、撮影速度やレリーズに対するレスポンスが重要となる連写撮影モードやスポーツ撮影モードである。このステップＳ３２をＹＥＳに分岐する場合は、図７に示すフローチャートへ戻る。
【０１０８】
一方、前記ステップＳ３２をＮＯに分岐する場合は、前記ステップＳ１における測距動作によって選択された測距点近傍の等分割領域における輝度の平均値が、所定の値以下であるか否かを判断する（ステップＳ３３）。このステップＳ３３をＹＥＳに分岐する場合は、図７に示すフローチャートへ戻る。
【０１０９】
前記ステップＳ３３をＮＯに分岐する場合は、全ての小領域２０３における輝度を取得する（ステップＳ３４）。そして、図７に示すフローチャートへ戻る。
【０１１０】
以上説明した一連の測光動作から分かるように、測距点近傍の領域における輝度の平均値が所定値以下の場合や、撮影速度やレリーズに対するレスポンスが重要である連写モードやスポーツモードによる撮影においては、測光処理の高速化の為に、小領域２０３における輝度の取得は行わない。一方、測距点近傍の領域における輝度の平均値が所定値以上の場合は、全ての小領域２０３における輝度を取得する。このような動作制御を行う理由は以下の通りである。
【０１１１】
すなわち、小領域２０３は、等分割領域２０１と比較して面積的に受光量が小さく、同程度の輝度によっても発生する電流が小さい為、低輝度の場合の輝度測定精度が等分割領域２０１と比較して低いからである。
【０１１２】
つまり、前記測距点近傍の等分割領域２０１における輝度の平均値が、所定の輝度測定精度を確保できる輝度の場合には、小領域２０３における輝度を取得し、所定輝度測定精度を確保できない輝度の場合には、等分割領域２０１のみの輝度を取得することで、輝度測定精度を確保する。本一実施形態に係るカメラでは、このような処理によって被写体輝度の測定精度を確保する。
【０１１３】
以下、前記ステップＳ３における露出演算の動作制御を、図１１に示すフローチャートを参照して説明する。なお、各々の等分割領域２０１における輝度測定を、全体の輝度測定においてどの程度寄与させるかを示す重み付け係数をαとする。
【０１１４】
まず、前記ステップＳ２における測光動作において、小領域２０３における輝度を取得したか否かを判断する（ステップＳ４１）。このステップＳ４１をＮＯに分岐する場合は、前記重み付け係数α＝１として、全ての等分割領域（領域番号１番乃至４９番の等分割領域）における重み付け係数αに１を代入し、後述する平均輝度ＢＶを算出し、図７に示すフローチャートへ戻る。
【０１１５】
一方、前記ステップＳ４１をＹＥＳに分岐する場合には、全ての等分割領域（領域番号１番乃至４９番の等分割領域）に対して各々の等分割領域毎に、以下の演算を行う。
【０１１６】
まず、当該等分割領域２０１（説明の便宜上、領域番号ｍ番の等分割領域とする）が、測距点近傍の等分割領域であるか否かを判断する（ステップＳ４３）。このステップＳ４３をＮＯに分岐する場合は、後述するステップＳ５３に移行する。
【０１１７】
一方、前記ステップＳ４３をＹＥＳに分岐する場合には、領域番号ｍ番の重み付け係数αｍは、
αｍ←Ａ    …（式１）
とする（ステップＳ４４）。
【０１１８】
続いて、等分割領域２０１における輝度と、小領域２０３における輝度との差を算出し、この輝度差が所定値よりも大きいか否かを判断する（ステップＳ４５）。このステップＳ４５をＮＯに分岐する場合は、後述するステップＳ４９へ移行する。
【０１１９】
前記ステップＳ４５をＹＥＳに分岐する場合は、小領域２０３における輝度値が、等分割領域２０１における輝度値よりも大きいか否かを判断する（ステップＳ４６）。このステップＳ４６をＹＥＳに分岐する場合は、
αｍ←αｍ−Ｃ    …（式２）
とする（ステップＳ４７）。すなわち、重み付け係数αｍをＣ値だけ減算する。一方、前記ステップＳ４６をＮＯに分岐する場合は、
αｍ←αｍ−Ｄ    …（式３）
とする（ステップＳ４８）。すなわち、重み付け係数αｍをＤ値だけ減算する。
【０１２０】
ここで、Ｃ＜Ｄである。すなわち、等分割領域２０１と小領域２０３との輝度差が所定値よりも大きい場合には、領域番号ｍ番の当該等分割領域２０１は、輝度が安定していない領域であるとして、重み付け係数αｍを減算する。
【０１２１】
詳細には、小領域２０３の輝度値が等分割領域２０１の輝度値よりも大きい値の場合（小領域２０３が等分割領域２０１よりも明るい場合）のほうが、そうでない場合よりも、当該領域番号ｍ番の等分割領域２０１の重み付け係数αｍの値を大きくする。
【０１２２】
これは、ＰＤの特性として、１つのＰＤにさまざまな輝度の部分が混在する場合には、輝度がより明るい部分の影響が大きくなることを鑑みての配慮である。すなわち、小領域２０３よりも面積が大きい等分割領域２０１が明るい場合、その中に点光源のような極端な輝度の影響を受けている可能性が設計経験上高い。従って、小領域２０３よりも等分割領域２０１の輝度の方がより明るい場合には、重み付け係数をより大きく減算することによって、輝度が安定しない領域の影響を減らす。
【０１２３】
ところで、前記ステップＳ４３をＮＯに分岐する場合は、
αｍ←Ｂ    …（式４）
とする（ステップＳ５３）。
【０１２４】
ここで、Ａ＞Ｂである。すなわち、当該等分割領域が測距点近傍の等分割領域ではない場合には、当該等分割領域が測距点近傍の等分割領域である場合に比べて、重み付け係数αｍとして、Ａより小さい値であるＢ値を設定する。なお、このように当該等分割領域が測距点近傍であるか否かによって重み付け処理を行うことは、被写体を美しく撮影する為には必須の処理である。
【０１２５】
前記ステップＳ５３における処理を終えた後は、等分割領域２０１における輝度値と、小領域２０３における輝度値との差を算出し、この輝度差が所定値よりも大きいか否かを判断する（ステップＳ５４）。このステップＳ５４をＮＯに分岐する場合は、後述するステップＳ４９へ移行する。
【０１２６】
一方、前記ステップＳ５４をＹＥＳに分岐する場合は、
αｍ←αｍ−Ｆ    …（式４）
とする（ステップＳ５５）。
【０１２７】
ここで、Ｆ＞Ｄである。
【０１２８】
以上説明したように、当該等分割領域２０１が測距点近傍ではない場合には、当該等分割領域２０１の重み付け係数αｍを減算し、さらに等分割領域２０１と小領域２０３との輝度差が所定値よりも大きい場合には、当該等分割領域２０１において輝度ムラが発生している可能性が非常に高い為、当該等分割領域２０１の重み付け係数αｍの更なる減算を行う。なお、等分割領域２０１と小領域２０３との輝度差が所定値よりも小さい場合には、前記更なる減算は行わない。
【０１２９】
ところで、前記ステップＳ４７、前記ステップＳ４８、前記ステップＳ５４、または前記ステップＳ５５における処理を終えた後は、次のようにして等分割領域２０１と小領域２０３との輝度を平均化した平均輝度ＢＶｍを算出する（ステップＳ４９）。
【０１３０】
すなわち、前記ステップＳ４９においては、例えば等分割領域２０１と小領域２０３との面積比を９：１とすると、
平均輝度ＢＶｍ＝
（領域番号ｍ番の等分割領域輝度×９＋領域番号（１００＋ｍ）番の小領域輝度×１）÷１０  …（式６）
とする。
【０１３１】
さらに、前記（式６）によって算出された数値に対し、領域番号１番から領域番号４９番までの全ての等分割領域２０１及び該等分割領域２０１に対応する小領域２０３における輝度の重み付けを加味した被写界輝度ＢＶの平均値を下式によって算出する。
【０１３２】
【数１】
2008294642.tif 000003
【０１３３】
そして、前記ステップＳ４３乃至前記ステップＳ４９における処理を、全ての領域（領域番号１番から領域番号４９番）において行った後、または前記ステップＳ５２における処理を終えた後、図７に示すフローチャートへ戻る。
【０１３４】
以下、前記ステップＳ５における調光演算の動作制御を、図１２に示すフローチャートを参照して説明する。
【０１３５】
まず、周知のストロボ発光準備を行う（ステップＳ７１）。続いて、ストロボプリ発光を行い、且つ前記測光回路１３２内に設けられた前記ホトセンサ（不図示）によって検出された光束の光量に基づく周知の測光処理によって、全ての等分割領域２０１における輝度を取得する（ステップＳ７２）。
【０１３６】
そして、前記ステップＳ１における測距動作によって選択された測距点近傍の等分割領域２０１における輝度の平均値が、所定の値以下であるか否かを判断する（ステップＳ７３）。このステップＳ７３をＹＥＳに分岐する場合は、図７に示すフローチャートへ戻る。
【０１３７】
前記ステップＳ７３をＮＯに分岐する場合は、全ての小領域２０３における輝度を取得する（ステップＳ７４）。そして、図７に示すフローチャートへ戻る。
【０１３８】
以下、前記ステップＳ６における露出パラメータ決定の動作制御を、図１３に示すフローチャートを参照して説明する。
【０１３９】
まず、ストロボ発光を行う場合について、被写界輝度ＢＶに対応するストロボ本発光の発光量をあらかじめ設定したテーブルに基づいて算出する（ステップＳ８１）。続いて、被写界輝度ＢＶの値に対して適正な露出制御を行うのに必要な、絞り値、シャッタ速度、及び撮像モジュール２２の感度等の露出パラメータを算出する（ステップＳ８２）。なお、絞り値、シャッタ速度、及び撮像モジュールの感度等の算出方法については、当業者には周知の事項である為、ここでは説明を省略する。
【０１４０】
そして、前記ステップＳ８２における処理を終えた後は、図７に示すフローチャートへ戻る。
【０１４１】
以上説明したように、本一実施形態によれば、被写界を効率の良い測光分布に分割して構成し、種々の被写体に対する測光精度及び測光の安定性を向上させる測光装置及び該測光装置を具備するカメラを提供することができる。
【０１４２】
具体的には、本一実施形態に係る測光装置及び該測光装置を具備するカメラでは、被写界を縦横に均等に分割して等分割領域２０１を形成し、各々の等分割領域２０１における中央部に、当該等分割領域２０１の面積の半分以下の面積を有する小領域２０３を設ける。
【０１４３】
このような構成によって、等分割領域２０１の全体で算出される輝度と小領域２０３で算出される輝度との差に応じて、当該等分割領域２０１における測光の信頼性を推定し、該信頼性を測光演算に反映させる。これにより、本一実施形態によれば、詳細には主として次の４つの効果を得ることができる。
【０１４４】
（効果１）
被写界の分割数をむやみに増加させることなく、且つ演算時間の延長や測光回路規模の拡大を招かずに、精度の良い測光を行うことができる測光装置及びカメラを提供することができる。
【０１４５】
（効果２）
被写界における各等分割領域２０１を互いに同じ形状として構成する為、製造上作りやすいというメリットを得ることができる。また、各々の等分割領域２０１におけるＰＤの特性（寄生容量、暗電流、リニアリティ、ノイズ等）が同じであるので、測光精度向上の為の補正回路を最小限に止めることができる。
【０１４６】
（効果３）
被写界領域の分割が互いに均等な分割であり、且つ分割により生じる領域が単純な形状である為、将来的に分割数を増加する場合にも、過去に取得したデータを有効利用できる。すなわち、もし被写界領域を、５角形、７角形のような複雑な形状や、互いに大きさや形状が異なるように分割すると、同じ被写体を測光する場合であっても、分割領域の形状の違いによって出力が異なってしまう為、分割数を増加する場合には、設計のやり直しが必要となる可能性が高い。本一実施形態によれば、これを防止することができる。
【０１４７】
（効果４）
被写体が低輝度の場合には比較的大きい分割領域にて輝度を算出するので、被写体が低輝度の場合にも測光精度を維持することができる。
【０１４８】
以下、図面を参照して、本一実施形態に係る測光装置及びカメラによる効果を、より詳細に説明する。
【０１４９】
図１４Ａは、上述した本一実施形態に特有の分割をした被写界領域と、ファインダー内の視野とを重ねて示した中間調画像である。図１４Ｂは、不等分割した被写界領域と、ファインダー内の視野とを重ねて示した中間調画像である。また、図１４Ｃは、１０行１０列にて１００個に等分割した被写界領域（前記小領域２０３を設けずに等分割）と、ファインダー内の視野とを重ねて示した中間調画像である。
【０１５０】
なお、図１４Ａ乃至図１４Ｃに示す中間調画像における主な被写体としては、当該ファインダー内の視野における中央部には人物、上部の背景には太陽が示される構図となっている。
【０１５１】
ここで、ファインダー視野内に示されている太陽の存在は、ファインダー視野内全体に占める面積は小さいが、その強烈な明るさの為に、被写界全体の輝度に対する影響は大きくなる。そしてその結果、輝度の判断においては、実際よりも明るい被写界であると判断されてしまい、被写体がアンダーになってしまう傾向にある。
【０１５２】
しかしながら、本一実施形態によれば、図１４Ａに示すように領域番号３番、４番の等分割領域２０１において、当該等分割領域２０１と小領域２０３との間に大きな輝度差が生じる為に、領域番号３番、４番の等分割領域２０１における測光の重み付け係数αｍは上述したように減算される。
【０１５３】
また、等分割領域２０１と小領域２０３との輝度差が小さい領域番号２５番、３２番、３９番、４５番、４６番、４７番の等分割領域における測光の重み付け係数αｍは相対的に大きくなる。本一実施形態に係るカメラによれば、このような各々の等分割領域２０１における測光の重み付け演算によって、被写体が適切に撮影される。
【０１５４】
図１４Ｂに示す例では、経験則によって定められた被写界分割をしており、中央部に重要な被写体が来ることが多いことを鑑みて、周辺部を大きい面積として分割し、中央部を細かい面積にて数多く分割している。このような分割を行えば、確かに太陽が示されている分割領域のみ明るいと判断し、この分割領域のみ測光演算から除けば、太陽光の影響を減らすことはできる。しかしながら、図１４Ｂに示す例のような分割では、上述した（効果２）及び（効果３）に記したような効果を得ることはできない。
【０１５５】
図１４Ｃに示す例では、太陽が示されている近辺の分割領域が他の分割領域に比べて非常に明るいことから、これらの重み付けを減算するという判断を行うことは可能である。ただし、要する重み付け係数αｍの個数が、本一実施形態における重み付け係数αｍの個数の２倍必要となる。つまり、演算量の増加が問題となる。
【０１５６】
図１５Ａは、上述した本一実施形態に特有の分割をした被写界領域と、ファインダー内の視野（夜景；図１５Ｂ及び図１５Ｃにおいても同様）とを重ねて示した中間調画像である。図１５Ｂは、不等分割した被写界領域と、ファインダー内の視野とを重ねて示した中間調画像である。また、図１５Ｃは、１０行１０列にて１００等分割した被写界領域（前記小領域を設けずに等分割）と、ファインダー内の視野とを重ねて示した中間調画像である。
【０１５７】
図１５Ａ乃至図１５Ｃに示す例では、右上部における照明灯の存在は、ファインダー視野内全体に占める面積は小さいが、その明るさの為に、被写界全体の輝度に対する影響は大きくなる。そしてその結果、輝度の判断においては、実際よりも明るい被写界であると判断されてしまい、被写体がアンダーになってしまう傾向にある。さらに、図１５Ａ乃至図１５Ｃに示す例のような夜景の撮影においては、ＰＤの受光量が減少してしまい、測光における測定精度を保ちにくくなる。
【０１５８】
しかしながら、本一実施形態によれば、図１５Ａに示すように、領域番号１３番、１４番、２３番の等分割領域２０１において、当該等分割領域２０１と、これに対応する小領域２０３との間に大きな輝度差が生じる為に、領域番号１３番、１４番、２３番の等分割領域２０１における測光の重み付け係数αｍは減算される。これにより、前記照明灯による悪影響を抑えることができ、適切な露出を得ることができる。
【０１５９】
図１５Ｂに示す例では、経験則によって定められた被写界分割をしており、中央部に重要な被写体が来ることが多いことを鑑みて、周辺部を大きい面積として分割し、中央部を細かい面積にて数多く分割している。
【０１６０】
しかしながら、夜景のように被写界が低輝度であると、ひとつの分割領域における受光量が小さくなるので、測光精度を維持することが難しくなる。その結果、重要である被写界中央部の測光精度の正確さを得ることができないという問題が生じる。このような問題点の解決の為に、補正回路及び補正演算が複雑化してしまう傾向が従来よりある。
【０１６１】
また、被写界右部における建物を美しく撮影する場合においては、図１５Ｂに示すような被写界分割は当該建物に対応する被写界の分割数が少なく、情報量が少ないというデメリットを生じる。
【０１６２】
図１５Ｃに示す例では、被写界の等分割領域の大きさが、本一実施形態における等分割領域２０１の大きさよりも小さくなるので、低輝度における測光精度が落ちることが予想される。しかしながら、分割数自体は本一実施形態における分割数よりも多いので、情報量は多くなる。
【０１６３】
なお、図１５Ｃに示す例では、演算に特定の処理を必要とする等分割領域は、右部及び左部における２つの照明灯と右部における建物に対応する等分割領域である。ただし、要する重み付け係数αｍの個数が、本一実施形態における重み付け係数の２倍の１００個必要となる。つまり、演算量の増加が問題となる。
【０１６４】
以上、一実施形態に基づいて本発明を説明したが、本発明は上述した実施形態に限定されるものではなく、本発明の要旨の範囲内で種々の変形及び応用が可能なことは勿論である。
【０１６５】
［第１変形例］
従来より、被写界における中央部のみの輝度を測定し、該輝度値に基づいて露出を決定する撮影モードが一般的に知られている。この撮影モードは一般にスポット測光モードと称され、ユーザは、被写界における中央部を被写体に合わせて該中央部のみの測光を当該カメラに行わせることで、ユーザ所望の被写体のみの輝度を測定することができる。
【０１６６】
そして、このスポット測光モードを、前記第１実施形態に係る測光装置及び該測光装置を具備するカメラに適用することで、例えば領域番号２５番の等分割領域２０１に対応する領域番号１２５番の小領域２０３における輝度値を用いて、従来よりも更にスポット性の高いスポット測光を実現することができる。
【０１６７】
［第２変形例］
前記第１実施形態においては、測光動作処理においては、図１０に示すフローチャートを参照して説明したように、測距点近傍の等分割領域における輝度の平均値が、所定の値以下であるか否かを判断し、所定の値以下ではない場合には、全ての小領域２０３における輝度を取得していた。
【０１６８】
しかしながら、図１６に示すフローチャートのように、全ての等分割領域２０１における輝度を取得し（ステップＳ９１）、各々の等分割領域２０１毎に、当該等分割領域２０１の輝度が所定輝度以下であるか否かかを判断し（ステップＳ９２）、このステップＳ８３をＮＯに分岐する場合（当該等分割領域２０１の輝度が所定輝度以上の場合）のみ、小領域２０３の輝度を取得する（ステップＳ９３）としても勿論よい。
【０１６９】
［第３変形例］
等分割領域２０１における輝度を取得する場合には、前記ホトセンサ（不図示）における受光面積における１／４９の面積（当該等分割領域２０１のみ）にて受光し、小領域２０３における輝度を取得する場合には、当該小領域２０３以外の部分におけるＰＤと前記電流電圧変換回路とを切断するという構成としても良い。
【０１７０】
なお、等分割領域２０１と小領域２０３とは完全に互いに独立した分割領域であり、等分割領域２０１を、小領域２０３を除いたドーナツ形状の領域として構成しても良い
［第４変形例］
被写界領域の分割パターンを、図１８Ａ及び図１８Ｂに示すように、前記一実施形態に特有の被写界領域の分割パターンと、従来より行われている被写界領域の分割パターン（以降、従来パターン分割領域と称する）とを組み合わせた構成の分割パターンとしても勿論よい。
【０１７１】
図１８Ａ及び図１８Ｂにおいて、斜線のハッチングを付されて示されている領域は、従来パターン分割領域３０１である。一方、白抜きで示されている領域は、等分割領域２０１及び小領域２０３から成る前記一実施形態に特有の被写界領域の分割パターンで構成されている領域である。
【０１７２】
ここで、図１８Ａに示す例では、被写界領域における周辺部が従来パターン分割領域３０１にて構成され、被写界領域における中央部が前記一実施形態に特有の等分割領域２０１及び小領域２０３にて構成されている。
【０１７３】
他方、図１８Ｂに示す例では、被写界領域における中央部が従来パターン分割領域３０１にて構成され、被写界領域における周辺部が前記一実施形態に特有の等分割領域２０１及び小領域２０３にて構成されている。
【０１７４】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【０１７５】
（付記）
前記の具体的実施形態から、以下のような構成の発明を抽出することができる。
【０１７６】
（１）  被写界を複数の領域に分割して測光する多分割測光手段と、
前記多分割測光手段の出力に基づいて、前記被写界の輝度値を算出する演算手段と、
を具備し、
前記多分割測光手段は、被写界を縦方向及び横方向にそれぞれ均等に分割した複数の測光領域に対応する等分割領域と、前記等分割領域よりも小さい面積を有し且つ前記等分割領域における中央部に設けられた小領域と、を受光面上に有し、前記等分割領域における測光値と前記小領域における測光値とを出力し、
前記演算手段は、前記等分割領域における測光値と前記等分割領域に対応する前記小領域における測光値との差、及び前記被写界における前記等分割領域の位置に基づいて、前記等分割領域における測光値及び前記小領域における測光値に対して重み付けを行って前記被写界の輝度値を算出することを特徴とする測光装置。
【０１７７】
（対応する実施形態）
この（１）に記載の測光装置に関する実施形態は、前記一実施形態が対応する。
【０１７８】
（作用効果）
この（１）に記載の測光装置によれば、被写界を効率の良い測光分布に分割して構成し、種々の被写体に対する測光精度及び測光の安定性を向上させる測光装置を提供することができる。
【０１７９】
（２）  前記演算手段は、前記等分割領域における測光値が所定値以下のとき、前記等分割領域に対応する前記小領域の測光値を、前記等分割領域の測光値に代えて重み付けして演算することを特徴とする（１）に記載の測光装置。
【０１８０】
（対応する実施形態）
この（２）に記載の測光装置に関する実施形態は、前記一実施形態が対応する。
【０１８１】
（作用効果）
この（２）に記載の測光装置によれば、被写界を効率の良い測光分布に分割して構成し、種々の被写体に対する測光精度及び測光の安定性を向上させる測光装置を提供することができる。
【０１８２】
（３）  被写界における中央部に相当する前記多分割測光手段における受光面の等分割領域である中央部等分割領域の測光値のみを用いて輝度値を算出するモードと、前記中央部等分割領域における小領域の測光値のみを用いて輝度値を算出するモードと、を備えることを特徴とする（１）または（２）に記載の測光装置。
【０１８３】
（対応する実施形態）
この（３）に記載の測光装置に関する実施形態は、前記一実施形態が対応する。
【０１８４】
（作用効果）
この（３）に記載の測光装置によれば、被写界を効率の良い測光分布に分割して構成し、種々の被写体に対する測光精度及び測光の安定性を向上させる測光装置を提供することができる。
【０１８５】
（４）  被写体位置検出手段を有し、前記演算手段は、前記多分割測光手段における全ての等分割領域における測光の出力、及び前記被写体位置検出手段による検出結果の被写体位置に相当する等分割領域に対応する小領域における測光の出力のみを用いて、前記被写界の輝度値を算出することを特徴とする（１）乃至（３）のうち何れか一つに記載の測光装置。
【０１８６】
（対応する実施形態）
この（４）に記載の測光装置に関する実施形態は、前記一実施形態が対応する。
【０１８７】
（作用効果）
この（４）に記載の測光装置によれば、被写界を効率の良い測光分布に分割して構成し、種々の被写体に対する測光精度及び測光の安定性を向上させる測光装置を提供することができる。
【０１８８】
（５）  前記等分割領域は、前記小領域を含めた領域であることを特徴とする（１）乃至（４）のうち何れか一つに記載の測光装置。
【０１８９】
（対応する実施形態）
この（５）に記載の測光装置に関する実施形態は、前記一実施形態が対応する。
【０１９０】
（作用効果）
この（５）に記載の測光装置によれば、被写界を効率の良い測光分布に分割して構成し、種々の被写体に対する測光精度及び測光の安定性を向上させる測光装置を提供することができる。
【０１９１】
（６）  前記等分割領域は、前記小領域を除いた領域であることを特徴とする（１）乃至（５）のうち何れか一つに記載の測光装置。
【０１９２】
（対応する実施形態）
この（６）に記載の測光装置に関する実施形態は、前記一実施形態が対応する。
【０１９３】
（作用効果）
この（６）に記載の測光装置によれば、被写界を効率の良い測光分布に分割して構成し、種々の被写体に対する測光精度及び測光の安定性を向上させる測光装置を提供することができる。
【０１９４】
（７）  被写界を複数の領域に分割して測光する多分割測光手段と、前記多分割測光手段の出力に基づいて、前記被写界の輝度値を算出する演算手段とを有する測光装置と、
被写体からの光束を前記測光装置へ導く為の光学系と、
前記測光装置から出力される前記被写界の輝度値に基づいて露出制御を行う露出制御部と、
を具備し、
前記多分割測光手段は、被写界を縦方向及び横方向にそれぞれ均等に分割した複数の測光領域に対応する等分割領域と、前記等分割領域よりも小さい面積を有し且つ前記等分割領域における中央部に設けられた小領域と、を受光面上に有し、前記等分割領域における測光値と前記小領域における測光値とを出力し、
前記演算手段は、前記等分割領域における測光値と前記等分割領域に対応する前記小領域における測光値との差、及び前記被写界における前記等分割領域の位置に基づいて、前記等分割領域における測光値及び前記小領域における測光値に対して重み付けを行って前記被写界の輝度値を算出することを特徴とするカメラ。
【０１９５】
（対応する実施形態）
この（７）に記載のカメラに関する実施形態は、前記一実施形態が対応する。
【０１９６】
（作用効果）
この（７）に記載のカメラによれば、被写界を効率の良い測光分布に分割して構成し、種々の被写体に対する測光精度及び測光の安定性を向上させるカメラを提供することができる。
【０１９７】
（８）  前記演算手段は、前記等分割領域における測光値が所定値以下のとき、前記等分割領域に対応する前記小領域の測光値を、前記等分割領域の測光値に代えて重み付けして演算することを特徴とする（７）に記載のカメラ。
【０１９８】
（対応する実施形態）
この（８）に記載のカメラに関する実施形態は、前記一実施形態が対応する。
【０１９９】
（作用効果）
この（８）に記載のカメラによれば、被写界を効率の良い測光分布に分割して構成し、種々の被写体に対する測光精度及び測光の安定性を向上させるカメラを提供することができる。
【０２００】
（９）  被写界における中央部に相当する前記多分割測光手段における受光面の等分割領域である中央部等分割領域の測光値のみを用いて輝度値を算出するモードと、前記中央部等分割領域における小領域の測光値のみを用いて輝度値を算出するモードと、を備えることを特徴とする（７）または（８）に記載のカメラ。
【０２０１】
（対応する実施形態）
この（９）に記載のカメラに関する実施形態は、前記一実施形態が対応する。
【０２０２】
（作用効果）
この（９）に記載のカメラによれば、被写界を効率の良い測光分布に分割して構成し、種々の被写体に対する測光精度及び測光の安定性を向上させるカメラを提供することができる。
【０２０３】
（１０）  被写体位置検出手段を有し、前記演算手段は、前記多分割測光手段における全ての等分割領域における測光の出力と、前記被写体位置検出手段による検出結果の被写体位置に相当する等分割領域に対応する小領域における測光の出力のみを用いて、前記被写界の輝度値を算出することを特徴とする（７）乃至（９）のうち何れか一つに記載のカメラ。
【０２０４】
（対応する実施形態）
この（１０）に記載のカメラに関する実施形態は、前記一実施形態が対応する。
【０２０５】
（作用効果）
この（１０）に記載のカメラによれば、被写界を効率の良い測光分布に分割して構成し、種々の被写体に対する測光精度及び測光の安定性を向上させるカメラを提供することができる。
【０２０６】
（１１）  前記等分割領域は、前記小領域を含めた領域であることを特徴とする（７）乃至（１０）のうち何れか一つに記載のカメラ。
【０２０７】
（対応する実施形態）
この（１１）に記載のカメラに関する実施形態は、前記一実施形態が対応する。
【０２０８】
（作用効果）
この（１１）に記載のカメラによれば、被写界を効率の良い測光分布に分割して構成し、種々の被写体に対する測光精度及び測光の安定性を向上させるカメラを提供することができる。
【０２０９】
（１２）  前記等分割領域は、前記小領域を除いた領域であることを特徴とする（７）乃至（１１）のうち何れか一つに記載のカメラ。
【０２１０】
（対応する実施形態）
この（１２）に記載のカメラに関する実施形態は、前記一実施形態が対応する。
【０２１１】
（作用効果）
この（１２）に記載のカメラによれば、被写界を効率の良い測光分布に分割して構成し、種々の被写体に対する測光精度及び測光の安定性を向上させるカメラを提供することができる。
【図面の簡単な説明】
【０２１２】
【図１】本発明の一実施形態に係るカメラのシステム構成の一例を示す図。
【図２】（Ａ），（Ｂ）は、本発明の一実施形態に係るカメラの光学系を模式的に示す図
【図３】測光回路におけるホトセンサの詳細な構成を示す図。
【図４】本発明の一実施形態における被写界の分割例を示す図。
【図５Ａ】分割した被写界領域と、ファインダー内の視野とを重ねて示した中間調画像。
【図５Ｂ】不等分割した被写界領域と、ファインダー内の視野とを重ねて示した中間調画像。
【図５Ｃ】１０行１０列にて１００等分割した被写界領域（小領域を設けずに等分割）と、ファインダー内の視野とを重ねて示した中間調画像。
【図６】等分割領域に設定する領域番号、及び前記小領域２０３に設定する小領域番号の定義を示す図。
【図７】本発明の一実施形態に係るカメラにおける撮影動作のＢｕｃｏｍによる動作制御を示すフローチャートを示す図。
【図８】ＡＦセンサユニットの有する測距点の被写界領域における位置及び個数を示す図。
【図９】測距動作の動作制御のフローチャートを示す図。
【図１０】測光動作の動作制御のフローチャートを示す図。
【図１１】露出演算の動作制御のフローチャートを示す図。
【図１２】調光演算の動作制御のフローチャートを示す図。
【図１３】露出パラメータ決定の動作制御のフローチャートを示す図。
【図１４Ａ】本発明の一実施形態に特有の分割をした被写界領域と、ファインダー内の視野とを重ねて示した中間調画像。
【図１４Ｂ】不等分割した被写界領域と、ファインダー内の視野とを重ねて示した中間調画像。
【図１４Ｃ】１０行１０列にて１００等分割した被写界領域と、ファインダー内の視野とを重ねて示した中間調画像。
【図１５Ａ】本発明の一実施形態に特有の分割をした被写界領域と、ファインダー内の視野とを重ねて示した中間調画像。
【図１５Ｂ】不等分割した被写界領域と、ファインダー内の視野とを重ねて示した中間調画像。
【図１５Ｃ】１０行１０列にて１００等分割した被写界領域と、ファインダー内の視野とを重ねて示した中間調画像。
【図１６】第２変形例における測光動作の動作制御のフローチャートを示す図。
【図１７】（Ａ）乃至（Ｃ）は、被写界を複数の領域に分割して行う測光における被写界分割概念を示す図。
【図１８Ａ】本発明の一実施形態に特有の被写界領域の分割パターンと、従来より行われている被写界領域の分割パターンと、を組み合わせた構成の被写界領域を示す図。
【図１８Ｂ】本発明の一実施形態に特有の被写界領域の分割パターンと、従来より行われている被写界領域の分割パターンと、を組み合わせた構成の被写界領域を示す図。
【符号の説明】
【０２１３】
２１…シャッタユニット、  ２２…撮像モジュール、  １００…ボディユニット、  １０２…レンズ駆動機構、  １０４…絞り駆動機構、  １０５…レンズ制御用マイクロコンピュータ、  １０６…通信コネクタ、  １１２…レンズユニット、  １１２ａ，１１２ｂ…撮影レンズ、  １１３ｂ…クイックリターンミラー、  １１３ａ…ペンタプリズム、  １１３ｄ…サブミラー、  １１３ｃ…接眼レンズ、  １１３ｂ…クイックリターン、  １１３ｆ…フォーカシングスクリーン、  １１３…クイックリターンミラー、  １１８…ミラー駆動機構、  １３０ｂ…ＡＦセンサ駆動回路、  １３０ａ…ＡＦセンサユニット、  １３２…測光回路、  １３２ａ…ＰＤ、  １３２ｂ…対数圧縮アンプ回路、  １３２ｃ…電圧増幅回路、  １３２ｄ…スイッチ、  １３４…撮像素子インターフェイス回路、  １３５…通信コネクタ、  １３６…液晶モニタ、  １３８…ＳＤＲＡＭ、  １３９…記録メディア、  １４０…画像処理コントローラ、  １４８…シャッタ駆動制御回路、  １５０…ボディ制御用マイクロコンピュータ、  １５０ａ…Ａ／Ｄ変換回路、  １５２…カメラ操作スイッチ、  １５３…電源回路、  １５４…電池、  １５７…動作表示用ＬＣＤ、  １８０…ストロボユニット、  １８１…閃光発光部、  ２３１Ｌ…左測距点、  ２３１Ｃ…中央測距点、  ２３１Ｒ…右測距点、  １８２…発光制御回路、  １８３…ストロボ制御用マイクロコンピュータ、  ２３３…被写体、  １８４…電池、  １８５…ストロボ通信コネクタ、  ２０１…等分割領域、  ２０３…小領域、  ３０１…従来パターン分割領域。
【図１】
2008294642.tif 000004
【図２】
2008294642.tif 000005
【図３】
2008294642.tif 000006
【図４】
2008294642.tif 000007
【図５Ａ】
2008294642.tif 000008
【図５Ｂ】
2008294642.tif 000009
【図５Ｃ】
2008294642.tif 000010
【図６】
2008294642.tif 000011
【図７】
2008294642.tif 000012
【図８】
2008294642.tif 000013
【図９】
2008294642.tif 000014
【図１０】
2008294642.tif 000015
【図１１】
2008294642.tif 000016
【図１２】
2008294642.tif 000017
【図１３】
2008294642.tif 000018
【図１４Ａ】
2008294642.tif 000019
【図１４Ｂ】
2008294642.tif 000020
【図１４Ｃ】
2008294642.tif 000021
【図１５Ａ】
2008294642.tif 000022
【図１５Ｂ】
2008294642.tif 000023
【図１５Ｃ】
2008294642.tif 000024
【図１６】
2008294642.tif 000025
【図１７】
2008294642.tif 000026
【図１８Ａ】
2008294642.tif 000027
【図１８Ｂ】
2008294642.tif 000028